【手続補正書】
【提出日】平成27年6月25日(2015.6.25)
【手続補正１】
【補正対象書類名】特許請求の範囲
【補正対象項目名】全文
【補正方法】変更
【補正の内容】
【特許請求の範囲】
【請求項１】
少なくとも部分的に非構造化されたデータを処理する方法であって、
データ処理ツールにおいて少なくとも一つのデータソースから少なくとも部分的に非構造化されたデータであって、メインアプリケーションからの実際のデータを含む少なくとも部分的に非構造化されたデータを含むデータファイルを受信するステップと、
タグ付きデータを含む少なくとも部分的に構造化されたデータの生成をもたらすために、プロセッサによって少なくとも部分的に非構造化されたデータを処理するステップであって、タグ付きデータは少なくとも１つの対象項目を含み、
連想記憶アプリケーションを使用して少なくとも部分的に非構造化されたデータを処理することと、
正規表現処理プログラムを使用して少なくとも部分的に非構造化されたデータを処理すること、
のうちの少なくとも一つを含む、前記少なくとも部分的に非構造化されたデータを処理するステップと、
少なくとも部分的に構造化されたデータを含むデータファイルをメインアプリケーションへ送信するステップと、
少なくとも一部にはタグ付きデータに基づいて少なくとも部分的に構造化されたデータをメインアプリケーションへ組み込むステップであって、タグの存在、コンテンツ及び種類のうちの少なくとも１つに基づいてデータを含める及び除外するうちの少なくとも１つを含む、少なくとも部分的に構造化されたデータを組み込むステップと、
ユーザインターフェースにおいて少なくとも部分的に構造化されたデータであって、間違ってタグ付けされた、及び間違ってタグ付けされなかったうちの少なくとも１つである誤認データの少なくとも１つのセグメントを含む少なくとも部分的に構造化されたデータを表示するステップと、
ユーザインターフェースにおいて誤認データの少なくとも１つのセグメントのユーザ選択を受信するステップと、
再識別データを形成するために誤認データをアップデートするステップと、
再識別データをメインアプリケーションに組み込むステップと
を備える、方法。
【請求項２】
少なくとも部分的に構造化されたデータが正確にタグ付けされているかを検証し、
少なくとも部分的に構造化されたデータをメインアプリケーションに組み込むことができるように、少なくとも部分的に構造化されたデータを開放する
ステップをさらに含む、請求項１に記載の方法。
【請求項３】
少なくとも部分的に構造化されたデータを検証するステップが、少なくとも部分的に構造化されたデータの一以上の識別タグを調べるステップを含む、請求項２に記載の方法。
【請求項４】
連想記憶アプリケーションを使用して少なくとも部分的に非構造化されたデータを処理するステップが、
少なくとも部分的に非構造化されたデータを少なくとも部分的に非構造化されたデータの一以上のセグメントにパースし、
少なくとも部分的に非構造化されたデータの少なくとも１つのセグメントについて連想記憶アプリケーションにクエリを行い、
少なくとも部分的に非構造化されたデータの少なくとも１つのセグメントと、連想記憶アプリケーションのデータの少なくとも１つのセグメントに関するスコアを生成し、
スコアに基づいて少なくとも部分的に非構造化されたデータの少なくとも１つのセグメントをタグ付けする
ステップを含む、請求項１又は２に記載の方法。
【請求項５】
連想記憶アプリケーションにクエリを行うステップが、ボイラープレートを含むデータの少なくとも１つのセグメントを含む連想記憶アプリケーションにクエリを行うステップを含み、少なくとも部分的に非構造化されたデータの少なくとも１つのセグメントをタグ付けするステップが、ボイラープレートを含む少なくとも部分的に非構造化されたデータの少なくとも１つのセグメントをタグ付けするステップを含む、請求項４に記載の方法。
【請求項６】
誤認データの少なくとも１つのセグメントに基づいてデータ処理ツールをアップデートする
ステップをさらに含む、請求項１又は２又は４に記載の方法。
【請求項７】
少なくとも部分的に構造化されたデータを出力テーブル及び出力ハイパーテキストマークアップ言語（ＨＴＭＬ）ページのうちの一つに出力するステップをさらに含む、請求項１又は２又は４又は６に記載の方法。
【請求項８】
正規表現処理プログラムを使用して、少なくとも部分的に非構造化されたデータを処理するステップが、
少なくとも１つのソースの正規表現パターンを少なくとも部分的に非構造化されたデータに適用し、
少なくとも部分的に非構造化されたデータの少なくとも１つのセグメントを少なくとも１つのソースの正規表現パターンと照合し、
少なくとも部分的に非構造化されたデータの少なくとも１つの照合済みセグメントを識別タグでタグ付けすることを含む、少なくとも部分的に非構造化されたデータの少なくとも一つの照合済みセグメントをタグ付けする
ステップを含む、請求項１又は２又は４又は６又は７に記載の方法。
【請求項９】
少なくとも部分的に非構造化されたデータを処理するシステムであって、
処理デバイスと、
前記処理デバイスに通信可能に連結されたユーザインターフェースと、
前記処理デバイスに通信可能に連結された記憶装置及び前記処理装置に通信可能に連結された通信インターフェースのうちの少なくとも１つと、
を含むシステムであって、前記処理デバイスは、
前記記憶装置及び前記通信インターフェースのうちの少なくとも１つから少なくとも部分的に非構造化されたデータであって、メインアプリケーションからの実際のデータを備える少なくとも部分的に非構造化されたデータを受信し、
少なくとも１つの対象項目を含むタグ付きデータを含む少なくとも部分的に構造化されたデータの生成をもたらすために、
処理デバイス上で実行される連想記憶アプリケーションを使用して少なくとも部分的に非構造化されたデータを処理することと、
処理デバイス上で実行される正規表現処理プログラムを使用して少なくとも部分的に非構造化されたデータを処理すること、
のうちの少なくとも１つによって、処理デバイス上で実行されるデータ処理ツールを使用して少なくとも部分的に非構造化されたデータを処理し、
タグ付けに基づいて少なくとも部分的に構造化されたデータをメインアプリケーションに組み込み、少なくとも部分的に構造化されたデータを組み込むステップがタグの存在に基づいてデータを含める及び除外するうちの少なくとも１つを含み、
少なくとも部分的に構造化されたデータであって、間違ってタグ付けされた及び間違ってタグ付けされなかったもののうちの少なくとも１つである誤認データの少なくとも１つのセグメントを含む、少なくとも部分的に構造化されたデータをユーザインターフェースにおいて表示させ、
誤認データの少なくとも１つのセグメントのユーザ選択を受信し、
再識別データを形成するために誤認データをアップデートし、
再識別データをメインアプリケーションに組み込む
ようにプログラミングされている、システム。
【請求項１０】
前記処理デバイスがさらに、
誤認データの少なくとも１つのセグメントに基づいて、処理デバイス上で実行されるデータ処理ツールをアップデートする
ようにプログラミングされている、請求項９に記載のシステム。
【請求項１１】
連想記憶アプリケーションを使用して少なくとも部分的に非構造化されたデータを処理するために、前記処理デバイスがさらに、
少なくとも部分的に非構造化されたデータを少なくとも部分的に非構造化されたデータの一以上のセグメントにパースし、
少なくとも部分的に非構造化されたデータの少なくとも１つのセグメントについて、処理デバイス上で実行される連想記憶アプリケーションにクエリを行い、
少なくとも部分的に非構造化されたデータの少なくとも１つのセグメントと、連想記憶アプリケーションのデータの少なくとも１つのセグメントに関するスコアを生成し、
スコアに基づいて少なくとも部分的に非構造化されたデータの少なくとも１つのセグメントをタグ付けする
ようにプログラミングされている、請求項９又は１０に記載のシステム。
【請求項１２】
正規表現処理プログラムを使用して少なくとも部分的に非構造化されたデータを処理するために、前記処理デバイスがさらに、
少なくとも１つのソースの正規表現パターンを少なくとも部分的に非構造化されたデータに適用し、
少なくとも部分的に非構造化されたデータの少なくとも１つのセグメントを少なくとも１つのソースの正規表現パターンと照合し、
少なくとも部分的に非構造化されたデータの少なくとも１つの照合済みセグメントをタグ付けする
ようにプログラミングされており、
前記処理デバイスがさらに、少なくとも部分的に構造化されたデータを前記記憶装置の出力テーブル及び出力ハイパーテキストマークアップ言語（ＨＴＭＬ）ページのうちの一つに出力して、前記ユーザインターフェースを介して表示するようにプログラミングされている、
請求項９又は１０又は１１に記載のシステム。